(57)【要約】      （修正有）【課題】カメラ用プロンプターとして利用可能であるとともに、スピーチ用プロンプターとして利用可能なカメラ用スピーチ用兼用プロンプターを提供する。【解決手段】カメラ用スピーチ用兼用プロンプターＰは、カメラ用に利用する場合、台座１０の上面となる一面にスリット形成部を介してハーフミラー２０を取り付け、一方スピーチ用に利用する場合、台座１０を裏返して演台７０に載置して、台座１０の上面となる他面に伸縮棒６０を介してハーフミラー２０を取り付け、それぞれ台座１０に載置したタブレット３０に表示された内容を反転表示して用いる。【選択図】図２
0003179119.tif 000002
【実用新案登録請求の範囲】
【請求項１】
台座の一面側を上面として用い、前記一面側に所定の角度により第１の取付部を介してハーフミラーを取り付け、前記台座の一面側に表示装置が載置可能であり、前記ハーフミラーは前記表示装置に表示された内容を反転表示することにより、カメラ用プロンプターとして利用可能であるとともに、
前記台座の他面側を上面として用い、前記他面側に第２の取付部を介して所定の高さ位置にハーフミラーを取り付け、前記台座の他面側に前記表示装置が載置可能であり、前記ハーフミラーは前記表示装置に表示された内容を反転表示することにより、スピーチ用プロンプターとして利用可能であることを特徴とするカメラ用スピーチ用兼用プロンプター。
【請求項２】
前記カメラ用プロンプターとして利用する場合において、前記台座の一面側と対向する下面側に第３の取付部を介して脚部を取り付けることを特徴とする請求項１記載のカメラ用スピーチ用兼用プロンプター。
【請求項３】
前記スピーチ用プロンプターとして利用する場合において、前記台座の他面側と対向する下面側は、前記台座を演台に載置可能に形成されることを特徴とする請求項１又は２に記載のカメラ用スピーチ用兼用プロンプター。
【請求項４】
前記カメラ用プロンプターとして利用する場合において、前記台座の一面側の利用者側端縁部に前記表示装置の位置移動を抑止する壁部が形成されることを特徴とする請求項１から３のいずれか１項に記載のカメラ用スピーチ用兼用プロンプター。
【請求項５】
前記表示装置は表示部を備える携帯可能な情報処理端末であることを特徴とする請求項１から４のいずれか１項に記載のカメラ用スピーチ用兼用プロンプター。
【考案の詳細な説明】
【技術分野】
【０００１】
本考案は、カメラ用プロンプターとして利用可能であるとともに、スピーチ用プロンプターとして利用可能に構成されたカメラ用スピーチ用兼用プロンプターに関する。
【背景技術】
【０００２】
プロンプターにはカメラ用（スタジオ撮影用）プロンプターとスピーチ用（演説用）プロンプターの２種類があることが知られている。
【０００３】
従来のカメラ用プロンプターは、ビデオカメラのレンズの前にハーフミラーが組み込まれ、液晶ディスプレイに文字を表示し、その文字をハーフミラーに映し出す時に、ビデオカメラからは、ハーフミラーは透明の板として原稿内容は見えない装置であり、テレビ番組のニュースキャスターなどが利用している。
【０００４】
一方、従来のスピーチ用プロンプターは、スピーチする人の演台のそばにハーフミラーがセットされ、ハーフミラーに映った原稿を読み上げる時に、聴衆からは、ハーフミラーは透明の板として原稿内容は見えない装置であり、国家元首のなどが利用している。
【０００５】
関連技術として、演者の自然な目線を維持した状態で、装置を小型化にでき、かつ、撮影カメラのレンズに入射する光を減じることがないカメラ用プロンプターを提供する技術が開示されている（特許文献１参照）。
また、演壇で原稿を撮影してメモリに記憶すると共にメモリから原稿を読み出して演壇の表示板に表示するスピーチ用プロンプターを提供する技術が開示されている（特許文献２参照）。
【先行技術文献】
【特許文献】
【０００６】
【特許文献１】特開２０１１−１７２０８３号公報
【特許文献２】特開平８−１８８３１号公報
【考案の概要】
【考案が解決しようとする課題】
【０００７】
しかしながら、上記の各関連技術は、それぞれカメラ用プロンプターとして利用可能であったり、スピーチ用プロンプターとして利用可能であったりするが、カメラ用スピーチ用兼用として用いることは困難である。
カメラ用プロンプターとして利用する場合、ハーフミラーを所定の角度で保持する機構や三脚等を取り付ける機構等が必要であり、一方、スピーチ用プロンプターとして利用する場合、ハーフミラーを所定の高さ位置で保持する機構や演台に載置可能な形状であること等が必要である。このように両者に必要な機構等が異なるため、カメラ用スピーチ用兼用のプロンプターは従来存在しなかった。
【０００８】
本考案の目的は、カメラ用プロンプターとして利用可能であるとともに、スピーチ用プロンプターとして利用可能なカメラ用スピーチ用兼用プロンプターを提供することにある。
【課題を解決するための手段】
【０００９】
本考案のカメラ用スピーチ用兼用プロンプターは、台座の一面側を上面として用い、一面側に所定の角度により第１の取付部を介してハーフミラーを取り付け、台座の一面側に表示装置が載置可能であり、ハーフミラーは表示装置に表示された内容を反転表示することにより、カメラ用プロンプターとして利用可能であるとともに、台座の他面側を上面として用い、他面側に第２の取付部を介して所定の高さ位置にハーフミラーを取り付け、台座の他面側に表示装置が載置可能であり、ハーフミラーは表示装置に表示された内容を反転表示することにより、スピーチ用プロンプターとして利用可能であることを特徴とする。
【００１０】
カメラ用プロンプターとして利用する場合において、台座の一面側と対向する下面側に第３の取付部を介して脚部を取り付けることであってもよい。
スピーチ用プロンプターとして利用する場合において、台座の他面側と対向する下面側は、台座を演台に載置可能に形成されることであってもよい。
カメラ用プロンプターとして利用する場合において、台座の一面側の利用者側端縁部に表示装置の位置移動を抑止する壁部が形成されることであってもよい。
表示装置は表示部を備える携帯可能な情報処理端末であってもよい。
【考案の効果】
【００１１】
本考案によれば、カメラ用プロンプターとして利用可能であるとともに、スピーチ用プロンプターとして利用可能なカメラ用スピーチ用兼用プロンプターを提供することができる。
【図面の簡単な説明】
【００１２】
【図１】本考案の実施の形態に係るカメラ用スピーチ用兼用プロンプターのカメラ用プロンプターとして利用する状態を示す図である。
【図２】本考案の実施の形態に係るカメラ用スピーチ用兼用プロンプターのスピーチ用プロンプターとして利用する状態を示す図である。
【図３】本考案の実施の形態に係るカメラ用スピーチ用兼用プロンプターの台座の構成を示す図である。
【図４】本考案の実施の形態に係るカメラ用スピーチ用兼用プロンプターのカメラ用プロンプターとして利用する場合の組み立て手順を説明する図である。
【図５】本考案の実施の形態に係るカメラ用スピーチ用兼用プロンプターのスピーチ用プロンプターとして利用する場合の組み立て手順を説明する図である。
【図６】表示装置の画面表示例を示す図である。
【考案を実施するための形態】
【００１３】
以下、本考案の一実施の形態を図面を参照しつつ説明する。本実施形態のカメラ用スピーチ用兼用プロンプターＰを、図１及び図２を参照して説明する。
本実施形態のカメラ用スピーチ用兼用プロンプターＰは、台座１０の両面を使用することで、各面をカメラ用とスピーチ用に使い分けることでカメラ用とスピーチ用の両方に使用できるように設計されている。
【００１４】
図１に、カメラ用スピーチ用兼用プロンプターＰをカメラ用プロンプターとして利用する状態を示す。例えば、ビデオ撮影などスタジオでの活用が想定される。
【００１５】
図１を参照すると、カメラ用スピーチ用兼用プロンプターＰは、台座１０と、ハーフミラー２０とを備えている。
【００１６】  台座１０の上面側となる面に設けられたスリット形成部１１にハーフミラー２０が角度４５度で差し込まれて取り付けられる。  台座１０は、上面側となる面に（公序良俗違反につき、不掲載）３０が載置される。なお、上面側となる面に設けられた壁部１２により（公序良俗違反につき、不掲載）３０の位置ずれによる落下等が防止されることであってもよい。また、台座１０は、下面側となる面に設けられた三脚用ネジ穴１３（不図示）を介して三脚４０が取り付けられる。  なお、台座１０は、ここではＷ２６０×Ｈ５０×Ｄ２４０で重さ９９０ｇである。台座１０の詳細な構造は後述する。
【００１７】  上記のようなカメラ用スピーチ用兼用プロンプターＰは、（公序良俗違反につき、不掲載）３０の表示部に表示された原稿等の内容である反転された文字をハーフミラー２０に反転表示する。利用者は、ハーフミラー２０に表示された文字を視覚により認識して読むことができる。この時、利用者の視線は、台座１０に載置された（公序良俗違反につき、不掲載）３０でなく、ハーフミラー２０の背後に設置されたカメラ５０に向けられるので、カメラ５０により撮像された映像の視聴者は、自分の方を向いて話されているように感じ、好適である。カメラ撮影が行われるあらゆる場面で活用可能であり、例えば、時間が限られた状況でのナレーション撮りや、急な原稿の差し替えや、企業ＶＰ・ＣＭ・施設紹介・社員教育・販売促進など法人企業向けの映像制作や、ＥＣサイトの商品撮影、Ｗｅｂ動画、外国語ナレーションなど、プライベートでもビジネスユースでも、あらゆる場面での活用が可能である。
【００１８】
ハーフミラー２０は、アクリル素材に熱を加えて特殊溶液を蒸着させてコーティングしたものである。軽くて取り扱いが楽で、割れることはほとんどないので安全を確保することができる。ハーフミラー２０は、ここではＷ２２０×Ｈ２２０×Ｄ３で重さ１８０ｇである。
ハーフミラー２０の透過率は例えば約６５％である。ハーフミラーの透明感を求めるため、透過率が高くなり、逆に見えづらくなってしまう場合には、カメラ専用ハーフミラー（例えば、透過率約３０％）を用いてもよい。なお、裏表上下の判別のために所定の丸等のマークが付されていてもよい。
【００１９】  （公序良俗違反につき、不掲載）３０は、文字等を表示する公知の携帯端末の一例であり詳細な説明は省略するが、文字等を表示することができればどのような情報処理装置が用いられてもよい。Ａｎｄｒｏｉｄ（登録商標）端末等であってももちろんよい。
【００２０】
三脚４０は、台座１０及びハーフミラー２０の高さ位置を利用者の目線の高さに調整するために用いられる機材の一例であり詳細な説明は省略するが、高さ位置を調整することができればどのような機材が用いられてもよい。
【００２１】
図２に、カメラ用スピーチ用兼用プロンプターＰをスピーチ用プロンプターとして利用する状態を示す。例えば、プレゼンテーションや講演等での活用が想定される。
【００２２】
図２を参照すると、カメラ用スピーチ用兼用プロンプターＰは、台座１０と、ハーフミラー２０とを備えている。なお、図２では図１と台座１０の上面側と下面側が、利用者に対して左右方向を軸として回転してひっくり返され逆にして用いられている。
【００２３】  台座１０の上面側となる面に設けられた伸縮棒用ネジ穴１４を介して伸縮棒６０が取り付けられる。伸縮棒６０の先端部に設けられたプレート６１にハーフミラー２０が挟み込まれて取り付けられる。伸縮棒６０は、ここでは長さ２００ｍｍm(最小)／４９０ｍｍ(最大)で重さ８０ｇである。また、プレート６１は、ここではＷ６０×Ｈ２０×Ｄ６である。  台座１０は、上面側となる面に（公序良俗違反につき、不掲載）３０が載置される。また、台座１０は、下面側となる面は水平な演台７０に安定して載置可能な形状に形成されている。  なお、台座１０は、ここではＷ２６０×Ｈ５０×Ｄ２４０で重さ９９０ｇである。台座１０の詳細な構造は後述する。
【００２４】  上記のようなカメラ用スピーチ用兼用プロンプターＰは、（公序良俗違反につき、不掲載）３０の表示部に表示された原稿等の内容である反転された文字をハーフミラー２０に反転表示する。利用者は、ハーフミラー２０に表示された文字を視覚により認識して読むことができる。この時、利用者の視線は、台座１０に載置された（公序良俗違反につき、不掲載）３０でなく、ハーフミラー２０の背後の聴衆に向けられるので、聴衆は、自分の方を向いて話されているように感じ、好適である。目線を落とすことなく、会場の雰囲気を見ながら、スマートなスピーチが可能になり、聴衆側からはハーフミラー２０が透明なパネルのため違和感がない。例えば、公共演説、会見、株主総会、授賞式、講演や論文発表など、また、結婚式場、ホテル、コンベンションホールや研修施設、学校、一般企業など、スピーチに関わる全ての状況で活用することができる。
【００２５】
ハーフミラー２０は、アクリル素材に熱を加えて特殊溶液を蒸着させてコーティングしたものである。軽くて取り扱いが楽で、割れることはほとんどないので安全を確保することができる。ハーフミラー２０は、ここではＷ２２０×Ｈ２２０×Ｄ３で重さ１８０ｇである。
ハーフミラー２０の透過率は例えば約６５％である。なお、裏表上下の判別のために所定の丸等のマークが付されていてもよい。
【００２６】  （公序良俗違反につき、不掲載）３０は、文字等を表示する公知の携帯端末の一例であり詳細な説明は省略するが、文字等を表示することができればどのような情報処理装置が用いられてもよい。Ａｎｄｒｏｉｄ（登録商標）端末等であってももちろんよい。
【００２７】
演台７０は、台座１０を所定の高さ位置に載置するために用いられる機材の一例であり詳細な説明は省略するが、高さ位置を調整することができれば形状等を問わずにどのような機材が用いられてもよい。
【００２８】
次に、図３を参照して、台座１０の詳細な構造を説明する。
図３（ａ）は、カメラ用スピーチ用兼用プロンプターＰをカメラ用プロンプターとして利用する状態における台座１０を下面側（図１の下面側）から見た図である。カメラ用では同図の右側に利用者が居ることとなる。
【００２９】
台座１０は、上記の寸法であり、厚さ約１０ｍｍの樹脂製のアクリル板から形成される。色は任意であるがここでは黒色である。
台座１０の左右上下の中央部には三脚用ネジ穴１３が穿設されている。
台座１０の図中右端の上下中央部には伸縮棒用ネジ穴１４が穿設されている。
【００３０】  図３（ｂ）は、カメラ用スピーチ用兼用プロンプターＰをカメラ用プロンプターとして利用する状態における台座１０の図３（ａ）のＡ−Ａ断面図である。カメラ用では同図の右側に利用者が居ることとなる。  台座１０の上面側となる面に設けられたスリット形成部１１には、約５ｍｍ幅で深さ約１５ｍｍのスリットが形成されて、ハーフミラー２０が角度４５度で差し込み可能となっている。  台座１０は、約１０ｍｍの高さの壁部１２が形成されている。この壁部１２は、載置された（公序良俗違反につき、不掲載）３０が位置ずれにより落下等することを防止するために用いられてもよい。  台座１０は、下面側となる面に三脚用ネジ穴１３が穿設され、三脚４０が取り付け可能となっている。
【００３１】
図３（ｃ）は、カメラ用スピーチ用兼用プロンプターＰをスピーチ用プロンプターとして利用する状態における台座１０の図３（ａ）のＡ−Ａ断面図である。スピーチ用では同図の左側に利用者が居ることとなる。なお、図３（ｃ）では図３（ｂ）と台座１０の上面側と下面側がひっくり返され逆にして用いられている。
台座１０の上面側となる面に伸縮棒用ネジ穴１４が穿設され、伸縮棒６０が取り付け可能となっている。
台座１０は、水平な演台７０にがたつきなく載置可能に脚部となる部材が形成されている。
【００３２】
次に、図４を参照して、カメラ用スピーチ用兼用プロンプターＰのカメラ用プロンプターとして利用する場合の組み立て手順を説明する。
【００３３】
まず、図４（１）では、台座１０のスリット形成部１１が設けられている面を上向きにして使用する。スリット形成部１１を利用者から見て奥側にして、台座１０の下面側の中央部の三脚用ネジ穴１３に三脚４０をセットする。
【００３４】
次に、図４（２）で、ハーフミラー２０の所定の丸いマークを利用者から見て手前側、下方向に向け、ハーフミラー２０が台座１０の中央になるようにスリット形成部１１のスリットに４５度の角度で差し込む。
【００３５】
次に、図４（３）で、ハーフミラー２０の背後にカメラ５０を配置する。６５／３５ハーフミラーには、ＮＤ（減光）フィルターのようにカメラの露出を約１目盛り変えたような効果があるため、カメラ５０の設定やホワイト・バランスを調整する。
【００３６】
次に、図４（４）で、プロンプターフード（布製）の中央にある滑り止めの部分をハーフミラー２０の上部にはさみ、布を垂らす。前方の下部にあるマジックテープ（登録商標）で止め、カメラレンズに映る映り込みや反射を防止する。
【００３７】
次に、図５を参照して、カメラ用スピーチ用兼用プロンプターＰのスピーチ用プロンプターとして利用する場合の組み立て手順を説明する。
【００３８】
まず、図５（１）では、台座１０の中央部に伸縮棒用ネジ穴１４がある方を上向き（上面側）にする。したがって、利用者から見て手前が高くなり、伸縮棒用ネジ穴１４が奥側となるようにセットする。
【００３９】
次に、図５（２）で、伸縮棒６０を伸縮棒用ネジ穴１４に沿って両手で回してしっかり固定する。ハーフミラー２０の止め金となるプレート６１は、二つの透明なネジがある方を手前に向け、プレート６１にハーフミラー２０を挟むためネジが取れない程度に緩めておく。
【００４０】
次に、図５（３）で、ハーフミラー２０の丸いマークを利用者から見て手前側、下方向に向け、ハーフミラー２０を持ち、慎重にプレート６１がハーフミラー２０の中央に位置するように挟む。
【００４１】
次に、図５（４）で、二つの透明なネジを回してハーフミラー２０を固定する。最後に、高さ、向きを調整する。ハーフミラー２０の高さ位置の調整は、伸縮棒６０の下部を片手で押さえて、伸縮棒６０の上部を押し上げれば自由に調整できる。また、角度は、周りの状況に応じて、見やすい角度に調整できる。
【００４２】
上記のとおり、セッティングはとても簡単で、専用ケース等から取り出して１分とかからずに作業は終了する。セッティングが簡単で誰でも使用できるため、専門的な知識は必要とならない。
【００４３】  図６は、表示装置としての（公序良俗違反につき、不掲載）３０の画面表示例を示す図である。
【００４４】  （公序良俗違反につき、不掲載）３０には、（公序良俗違反につき、不掲載）から所定のアプリケーションソフトウェアをダウンロードする。  設定項目としては、カウントダウン機能（ＯＮ／ＯＦＦ、秒数）、表示方向（自動、縦、横）、文字の反転表示（ハーフミラーを使用するには、この設定をＯＮにする）、連続再生（ＯＮ／ＯＦＦ）、自動スタート（ＯＮ／ＯＦＦ）、スクロール速度（ロケーター表示でリアルタイムで調整可能／１５段階）、マーカー表示（ＯＮ／ＯＦＦ）、文字の種類、文字の大きさ、文字の色（１０色）、背景色（１０色）、表示画面編集（エディターモード／表示画面モード）、可読範囲（文字の大きさにより可変）等がある。
【００４５】
プロンプターを使用する際の主な機能としては、スクロールのスタート・停止、オート・スタートの切り替えＯＮ／ＯＦＦ、カウントダウンのＯＮ／ＯＦＦ、スクロールスピードの調整（ロケーター表示時）、キューポイントジャンプ機能（ロケーター表示時）、表示文字の反転（ミラーリング）表示機能、キューポイントの設定（スワイプによるキューポイントジャンプが可能）、ドキュメント画面から、ヘッダの左にある[編集]ボタンをタップし、新しいテキスト原稿を表示させ、直接入力していくもの等がある。なお、原稿の入力・編集には、テキストエディターモードと表示画面モードがあり、修正作業やレイアウト作業が効率良く進められる。その他、電子メールでのコピー＆ペーストが可能であったり、ユニバーサル仕様で、充実したヘルプ・メニュー（日本語・英語）を装備している。
【００４６】  また、アプリケーションソフトウェアは（公序良俗違反につき、不掲載）３０専用のため、電源確保なども必要なく、どんなところでも使用が可能であり、準備しておいた原稿やキューシートをワンタップで簡単にスクロールさせ、快適なスピーチを実現でき、また、原稿の作成作業もいつでも、どこでも可能となり、いつでも本番環境でスピーチの練習ができ、リハーサル時間を自由にコントロールできる。
【００４７】
その他、一々例示はしないが、本考案は、その趣旨を逸脱しない範囲内において、各構成部分の大きさや形状を含む種々の変更が加えられて実施されてよい。
【符号の説明】
【００４８】  Ｐ      カメラ用スピーチ用兼用プロンプター  １０    台座  １１    スリット形成部  １２    壁部  １３    三脚用ネジ穴  １４    伸縮棒用ネジ穴  ２０    ハーフミラー  ３０    （公序良俗違反につき、不掲載）  ４０    三脚  ５０    カメラ  ６０    伸縮棒  ６１    プレート  ７０    演台
【図１】
0003179119.tif 000003
【図２】
0003179119.tif 000004
【図３】
0003179119.tif 000005
【図６】
0003179119.tif 000006
【図４】
0003179119.tif 000007
【図５】
0003179119.tif 000008
【手続補正書】
【提出日】平成24年8月21日(2012.8.21)
【手続補正１】
【補正対象書類名】明細書
【補正対象項目名】００１６
【補正方法】変更
【補正の内容】
【００１６】
台座１０の上面側となる面に設けられたスリット形成部１１にハーフミラー２０が角度４５度で差し込まれて取り付けられる。
台座１０は、上面側となる面にタブレット３０が載置される。なお、上面側となる面に設けられた壁部１２によりタブレット３０の位置ずれによる落下等が防止されることであってもよい。また、台座１０は、下面側となる面に設けられた三脚用ネジ穴１３（不図示）を介して三脚４０が取り付けられる。
なお、台座１０は、ここではＷ２６０×Ｈ５０×Ｄ２４０で重さ９９０ｇである。台座１０の詳細な構造は後述する。
【手続補正２】
【補正対象書類名】明細書
【補正対象項目名】００１７
【補正方法】変更
【補正の内容】
【００１７】
上記のようなカメラ用スピーチ用兼用プロンプターＰは、タブレット３０の表示部に表示された原稿等の内容である反転された文字をハーフミラー２０に反転表示する。利用者は、ハーフミラー２０に表示された文字を視覚により認識して読むことができる。この時、利用者の視線は、台座１０に載置されたタブレット３０でなく、ハーフミラー２０の背後に設置されたカメラ５０に向けられるので、カメラ５０により撮像された映像の視聴者は、自分の方を向いて話されているように感じ、好適である。カメラ撮影が行われるあらゆる場面で活用可能であり、例えば、時間が限られた状況でのナレーション撮りや、急な原稿の差し替えや、企業ＶＰ・ＣＭ・施設紹介・社員教育・販売促進など法人企業向けの映像制作や、ＥＣサイトの商品撮影、Ｗｅｂ動画、外国語ナレーションなど、プライベートでもビジネスユースでも、あらゆる場面での活用が可能である。
【手続補正３】
【補正対象書類名】明細書
【補正対象項目名】００１９
【補正方法】変更
【補正の内容】
【００１９】
タブレット３０は、文字等を表示する公知の携帯端末の一例であり詳細な説明は省略するが、文字等を表示することができればどのような情報処理装置が用いられてもよい。
【手続補正４】
【補正対象書類名】明細書
【補正対象項目名】００２３
【補正方法】変更
【補正の内容】
【００２３】
台座１０の上面側となる面に設けられた伸縮棒用ネジ穴１４を介して伸縮棒６０が取り付けられる。伸縮棒６０の先端部に設けられたプレート６１にハーフミラー２０が挟み込まれて取り付けられる。伸縮棒６０は、ここでは長さ２００ｍｍm(最小)／４９０ｍｍ(最大)で重さ８０ｇである。また、プレート６１は、ここではＷ６０×Ｈ２０×Ｄ６である。
台座１０は、上面側となる面にタブレット３０が載置される。また、台座１０は、下面側となる面は水平な演台７０に安定して載置可能な形状に形成されている。
なお、台座１０は、ここではＷ２６０×Ｈ５０×Ｄ２４０で重さ９９０ｇである。台座１０の詳細な構造は後述する。
【手続補正５】
【補正対象書類名】明細書
【補正対象項目名】００２４
【補正方法】変更
【補正の内容】
【００２４】
上記のようなカメラ用スピーチ用兼用プロンプターＰは、タブレット３０の表示部に表示された原稿等の内容である反転された文字をハーフミラー２０に反転表示する。利用者は、ハーフミラー２０に表示された文字を視覚により認識して読むことができる。この時、利用者の視線は、台座１０に載置されたタブレット３０でなく、ハーフミラー２０の背後の聴衆に向けられるので、聴衆は、自分の方を向いて話されているように感じ、好適である。目線を落とすことなく、会場の雰囲気を見ながら、スマートなスピーチが可能になり、聴衆側からはハーフミラー２０が透明なパネルのため違和感がない。例えば、公共演説、会見、株主総会、授賞式、講演や論文発表など、また、結婚式場、ホテル、コンベンションホールや研修施設、学校、一般企業など、スピーチに関わる全ての状況で活用することができる。
【手続補正６】
【補正対象書類名】明細書
【補正対象項目名】００２６
【補正方法】変更
【補正の内容】
【００２６】
タブレット３０は、文字等を表示する公知の携帯端末の一例であり詳細な説明は省略するが、文字等を表示することができればどのような情報処理装置が用いられてもよい。
【手続補正７】
【補正対象書類名】明細書
【補正対象項目名】００３０
【補正方法】変更
【補正の内容】
【００３０】
図３（ｂ）は、カメラ用スピーチ用兼用プロンプターＰをカメラ用プロンプターとして利用する状態における台座１０の図３（ａ）のＡ−Ａ断面図である。カメラ用では同図の右側に利用者が居ることとなる。
台座１０の上面側となる面に設けられたスリット形成部１１には、約５ｍｍ幅で深さ約１５ｍｍのスリットが形成されて、ハーフミラー２０が角度４５度で差し込み可能となっている。
台座１０は、約１０ｍｍの高さの壁部１２が形成されている。この壁部１２は、載置されたタブレット３０が位置ずれにより落下等することを防止するために用いられてもよい。
台座１０は、下面側となる面に三脚用ネジ穴１３が穿設され、三脚４０が取り付け可能となっている。
【手続補正８】
【補正対象書類名】明細書
【補正対象項目名】００４３
【補正方法】変更
【補正の内容】
【００４３】
図６は、表示装置としてのタブレット３０の画面表示例を示す図である。
【手続補正９】
【補正対象書類名】明細書
【補正対象項目名】００４４
【補正方法】変更
【補正の内容】
【００４４】
タブレット３０には、所定のＷｅｂサイト等から所定のアプリケーションソフトウェアをダウンロードする。
設定項目としては、カウントダウン機能（ＯＮ／ＯＦＦ、秒数）、表示方向（自動、縦、横）、文字の反転表示（ハーフミラーを使用するには、この設定をＯＮにする）、連続再生（ＯＮ／ＯＦＦ）、自動スタート（ＯＮ／ＯＦＦ）、スクロール速度（ロケーター表示でリアルタイムで調整可能／１５段階）、マーカー表示（ＯＮ／ＯＦＦ）、文字の種類、文字の大きさ、文字の色（１０色）、背景色（１０色）、表示画面編集（エディターモード／表示画面モード）、可読範囲（文字の大きさにより可変）等がある。
【手続補正１０】
【補正対象書類名】明細書
【補正対象項目名】００４６
【補正方法】変更
【補正の内容】
【００４６】
また、アプリケーションソフトウェアはタブレット３０専用のため、電源確保なども必要なく、どんなところでも使用が可能であり、準備しておいた原稿やキューシートをワンタップで簡単にスクロールさせ、快適なスピーチを実現でき、また、原稿の作成作業もいつでも、どこでも可能となり、いつでも本番環境でスピーチの練習ができ、リハーサル時間を自由にコントロールできる。
【手続補正１１】
【補正対象書類名】明細書
【補正対象項目名】００４８
【補正方法】変更
【補正の内容】
【００４８】
Ｐ      カメラ用スピーチ用兼用プロンプター
１０    台座
１１    スリット形成部
１２    壁部
１３    三脚用ネジ穴
１４    伸縮棒用ネジ穴
２０    ハーフミラー
３０    タブレット
４０    三脚
５０    カメラ
６０    伸縮棒
６１    プレート
７０    演台
【手続補正１２】
【補正対象書類名】実用新案登録請求の範囲
【補正対象項目名】全文
【補正方法】変更
【補正の内容】
【実用新案登録請求の範囲】
【請求項１】
台座の一面側を上面として用い、前記一面側に所定の角度により第１の取付部を介してハーフミラーを取り付け、前記台座の一面側に表示装置が載置可能であり、前記ハーフミラーは前記表示装置に表示された内容を反転表示することにより、カメラ用プロンプターとして利用可能であるとともに、
前記台座の他面側を上面として用い、前記他面側に第２の取付部を介して所定の高さ位置にハーフミラーを取り付け、前記台座の他面側に前記表示装置が載置可能であり、前記ハーフミラーは前記表示装置に表示された内容を反転表示することにより、スピーチ用プロンプターとして利用可能であることを特徴とするカメラ用スピーチ用兼用プロンプター。
【請求項２】
前記カメラ用プロンプターとして利用する場合において、前記台座の一面側と対向する下面側に第３の取付部を介して脚部を取り付けることを特徴とする請求項１記載のカメラ用スピーチ用兼用プロンプター。
【請求項３】
前記スピーチ用プロンプターとして利用する場合において、前記台座の他面側と対向する下面側は少なくともその一部を水平な演台に当接することで前記台座を前記演台に載置可能に形成されることを特徴とする請求項１又は２に記載のカメラ用スピーチ用兼用プロンプター。
【請求項４】
前記カメラ用プロンプターとして利用する場合において、前記台座の一面側の利用者側端縁部に前記表示装置の位置移動を抑止する壁部が形成されることを特徴とする請求項１から３のいずれか１項に記載のカメラ用スピーチ用兼用プロンプター。
【請求項５】
前記表示装置は表示部を備える携帯可能な情報処理端末であることを特徴とする請求項１から４のいずれか１項に記載のカメラ用スピーチ用兼用プロンプター。
【手続補正１４】
【補正対象書類名】図面
【補正対象項目名】図１
【補正方法】変更
【補正の内容】
【図１】
0003179119.tif 000009
【手続補正１５】
【補正対象書類名】図面
【補正対象項目名】図６
【補正方法】変更
【補正の内容】
【図６】
0003179119.tif 000010